(57)【要約】      （修正有）【課題】双機能型のコネクタの提供。【解決手段】双機能型のコネクタ４は、一つの本体４０及び一つの回転接合部４３を含み、前記本体４０は、前記本体４０外縁に設置された接合部４１及び接続端４２を備え、しかも前記接続端４２は、前記第一規格溝孔１の寸法と対応するため、第一規格溝孔１を選んで対位の接続を行うなら、接続端４２の複数導電端子４２１は第一規格溝孔１の導電端子と結合する。又、本考案による前記接続端４２には八個の導電端子４２１があり、本体４０が第一規格溝孔１の四個電気接続線端子と接続する時、一般の電気導電となる。【選択図】図３
0003121199.tif 000002
【実用新案登録請求の範囲】
【請求項１】
双機能型のコネクタであって、それぞれ１つの第一規格の溝孔、及び１つの第二規格の溝孔を選んで対位の接続を行い、前記双機能型のコネクタは、本体及び回転接合部を包含し、
本体は前記本体外縁に設置された接合部及び接続端を備え、しかも前記接続端は、前記第一規格溝孔の寸法と対応し、第一規格溝孔と対位接続が出来、
回転接合部は前記接合部と当接して、接合部を軸心として回転開けた作動を行い、そのため、前記回転接合部を本体外縁の端末に押し付ける時、本体が比較的に大きな孔の前記第二規格の溝孔を選んで対位の接続を行うことができることを特徴とする双機能型のコネクタ。
【請求項２】
請求項１記載の双機能型のコネクタにおいて、接続端は複数の導電端子を備えるため、前記本体がそれぞれ、第一規格溝孔及び前記第二規格溝孔と接続して導電接地を形成できることを特徴とする双機能型のコネクタ。
【請求項３】
請求項１記載の双機能型のコネクタにおいて、前記第一規格溝孔は、ＲＪ１１規格の差込口であることを特徴とする双機能型のコネクタ。
【請求項４】
請求項１記載の双機能型のコネクタにおいて、前記第二規格溝孔は、ＲＪ４５規格の差込口であることを特徴とする双機能型のコネクタ。
【請求項５】
請求項１記載の双機能型のコネクタにおいて、前記接合部は、凹孔であって、しかも相互に対応する回転接合部は、フランジであることを特徴とする双機能型のコネクタ。
【請求項６】
請求項１記載の双機能型のコネクタにおいて、前記接合部は、フランジであって、しかも相互に対応する回転接合部は、凹孔であることを特徴とする双機能型のコネクタ。
【請求項７】
請求項１記載の双機能型のコネクタにおいて、前記回転接合部は端面を備え、なお前記端面は前記接続端とｄ距離を設置することを特徴とする双機能型のコネクタ。
【請求項８】
請求項７記載の双機能型のコネクタにおいて、前記距離寸法の長さは、前記第二規格の溝孔が延伸された深さｓより少々小さいことを特徴とする双機能型のコネクタ。
【考案の詳細な説明】
【技術分野】
【０００１】
本考案はコネクタの構成に関する新案であり、特に二種類の違う規格の溝孔に運用できる双機能型のコネクタである。
【背景技術】
【０００２】
テクノロジーは、日々益々革新を行って、パソコンの普及と３Ｃ電子製品の発展に伴い、各種の異なった規格の周辺設備に対応するため、各種の規格のコネクタ、コンセント、および信号線などは、絶えずに登場してきて、このような多種の形状、規格のコネクタ、コンセント、および信号線は普通互いに独立し相互に支援しないので、ユーザに多くの不便をもたらした。
【０００３】
伝送線について、例えばＲＪ１１コネクタを使用する電話線は、モデム(ＭＯＤＥＮ)を接続してインターネットを連結することに用たり、ＲＪ４５コネクタのネットワーク線を使用する場合、区域インターネットをコネクトするためのネットワークカードが使われたりするが、一般的に、内部心線の数が異なって、コネクタ形状及び各端子接点の位置も異なっているため、これらの伝送線が共同使用されることができないし、更に、数の多い伝送線が空間を占め、収納が不便になり、消費者の使用コストもそれで増やしてしまう。
【０００４】
図１及び図２をご参照下さい。それは市場に前記二種のコネクタを併せて使用したコネクタの立体構造の使用状態を示す図である。市場に電話線を接続する第一規格の溝孔１には六個の通溝を備えて、しかも六個の通溝に四個の電気接続線端子が設けられている。ネットワーク線を連結する第二規格の溝孔２には、八個の通溝を備えて、しかも八個の通溝に八個の電気接続線端子が設けられる。従って、第一規格溝孔１の幅ｗ１の寸法は、第二規格溝孔２の幅ｗ２より小さいが、高さｈの寸法は同様である。市場にある双機能型のコネクタ３に、滑りカバー３１が設けられ、滑りカバー３１で前記コネクタ３の端部３２と結合させて、端部３２が第二規格溝孔２の幅ｗ２の寸法に対応できることにし、そして、第二規格溝孔２と押し付けて連接させる。滑りカバー３１を前記コネクタ３の端部３２から分離させるため後方に移動させると、端部３２が第一規格溝孔１に対応する幅ｗ１の寸法が形成され、それで第一規格溝孔１と連接する事ができる。前記コネクタ３には配線３４があるため、滑りカバー３１が移動すると、容易に配線３４に触れてしまうため、一つの線板(図に示せず)を利用して配線３４を前記コネクタ３に固定させることを設計する必要がある。
【０００５】
しかしながら、市場に出された前記双機能型のコネクタ３は、下記の欠点があり、
１．手動で前記滑りカバー３１をコネクタ３に前後移動させるため、比較的に長さが比較的に長いコネクタ３を製造する必要があり、それで製造コスト及び使用空間が増やしてしまう。
２．溝孔の高さｈの寸法は、同様であるため、前記滑りカバー３１の連接アーム３３を前記滑り蓋３１の端末に設置する必要があるが、前記滑りカバー３１はプラスチックの射出成型品であるため、頻繁に使用すると、使用端が衝突で変形になり、前記滑りカバー３１の損害になってしまう可能性もある。
【考案の開示】
【考案が解決しようとする課題】
【０００６】
本考案の主な目的は、一つの双機能型のコネクタで、回転接合部を連接することによりコネクタの外縁寸法を変わって単一のコネクタがそれぞれ二種類の異なる規格の溝孔に用いられるようにする。
【０００７】
本考案の次の目的は、一つの双機能型のコネクタで、回転接合部が回転の方式でコネクタの外縁に連接することにより、有効に前記コネクタの長さ寸法を減らすことを達する。
【０００８】
前記目的を達するために、本考案の主な目的は、双機能型のコネクタで、それぞれ１つの第一規格の溝孔及び１つの第二規格の溝孔を選んで対位の接続を行う。前記双機能型のコネクタは、本体及び回転接合部を含む。前記本体は、本体外縁に設置された接合部及び接続端を備えて、しかも接続端は第一規格溝孔の寸法と対応するため、第一規格溝孔と対位接続することができる。回転接合部は、接合部と当接して、接合部を軸心として回転開けた作動を行って、そのため、回転接合部を本体外縁の端末に押し付ける時、本体が比較的に大きな孔の第二規格の溝孔を選んで対位の接続を行うことができる。
【課題を解決するための手段】
【０００９】
請求項１の考案は、双機能型のコネクタであって、それぞれ１つの第一規格の溝孔、及び１つの第二規格の溝孔を選んで対位の接続を行い、前記双機能型のコネクタは、本体及び回転接合部を包含し、
本体は前記本体外縁に設置された接合部及び接続端を備え、しかも前記接続端は、前記第一規格溝孔の寸法と対応し、第一規格溝孔と対位接続が出来、
回転接合部は前記接合部と当接して、接合部を軸心として回転開けた作動を行い、そのため、前記回転接合部を本体外縁の端末に押し付ける時、本体が比較的に大きな孔の前記第二規格の溝孔を選んで対位の接続を行うことができることを特徴とする双機能型のコネクタとしている。
請求項２の考案は、請求項１記載の双機能型のコネクタにおいて、接続端は複数の導電端子を備えるため、前記本体がそれぞれ、第一規格溝孔及び前記第二規格溝孔と接続して導電接地を形成できることを特徴とする双機能型のコネクタとしている。
請求項３の考案は、請求項１記載の双機能型のコネクタにおいて、前記第一規格溝孔は、ＲＪ１１規格の差込口であることを特徴とする双機能型のコネクタとしている。
請求項４の考案は、請求項１記載の双機能型のコネクタにおいて、前記第二規格溝孔は、ＲＪ４５規格の差込口であることを特徴とする双機能型のコネクタとしている。
請求項５の考案は、請求項１記載の双機能型のコネクタにおいて、前記接合部は、凹孔であって、しかも相互に対応する回転接合部は、フランジであることを特徴とする双機能型のコネクタとしている。
請求項６の考案は、請求項１記載の双機能型のコネクタにおいて、前記接合部は、フランジであって、しかも相互に対応する回転接合部は、凹孔であることを特徴とする双機能型のコネクタとしている。
請求項７の考案は、請求項１記載の双機能型のコネクタにおいて、前記回転接合部は端面を備え、なお前記端面は前記接続端とｄ距離を設置することを特徴とする双機能型のコネクタとしている。
請求項８の考案は、請求項７記載の双機能型のコネクタにおいて、前記距離寸法の長さは、前記第二規格の溝孔が延伸された深さｓより少々小さいことを特徴とする双機能型のコネクタとしている。
【考案の効果】
【００１０】
双機能型のコネクタであって、それぞれ１つの第一規格の溝孔を選んで及び１つの第二規格の溝孔を選んで対位の接続を行い、前記双機能型のコネクタは、１つの本体及び１つの回転接合部を含む。前記本体は、本体外縁に設置された接合部及び接続端を備え、しかも接続端は第一規格溝孔の寸法と対応するため、第一規格溝孔と対位接続が出来る。回転接合部は、接合部と当接し、接合部を軸心として回転開けた作動を行って、そのため、回転接合部を本体外縁の端末に押し付ける時、本体が比較的に大きな孔の第二規格の溝孔を選んで対位接続を行うことができる。単一のコネクタがそれぞれ二種類の異なっている規格の溝孔に用いられることができて、しかも前記接合部が回転開けた作動を行ったため、効果的に本体寸法の構造の大きさを減らすことができる。
【考案を実施するための最良の形態】
【００１１】
図３及び図４をご参照下さい。それは本考案にかかる双機能型のコネクタの立体構造の使用状態を示す図である。本考案にかかる双機能型のコネクタ４は、それぞれ電話線を接続する第一規格溝孔１及びネットワーク線を連結する第二規格溝孔２を選んで対位接続を行い、第一規格溝孔１は、ＲＪ１１規格であって、溝孔１には六個の通溝を備えて、しかも六個の通溝に四個の電気接続線端子が設けられる。第二規格溝孔２は、ＲＪ４５規格であって、溝孔２には八個の通溝を備えて、しかも八個の通溝に八個の電気接続線端子が設けられる。従って、第一規格溝孔１の幅ｗ１の寸法は、第二規格溝孔２の幅ｗ２より小さいが、当該二つ溝孔の高さｈの寸法は同様である。
【００１２】
双機能型のコネクタ４は、一つの本体４０及び一つの回転接合部４３を含み、前記本体４０は、前記本体４０外縁に設置された接合部４１及び接続端４２を備え、しかも前記接続端４２は、前記第一規格溝孔１の寸法と対応するため、第一規格溝孔１を選んで対位の接続を行うなら、接続端４２の複数導電端子４２１は第一規格溝孔１の導電端子と結合する。又、本考案による前記接続端４２には八個の導電端子４２１があり、本体４０が第一規格溝孔１の四個電気接続線端子と接続する時、一般の電気導電となる。
【００１３】
回転接合部４３は、接合部４１と相互に連接する時、接合部４１のフランジ設計を利用することにより、相対的に回転接合部４３の凹孔を回転して押し付けることが出来る。または前記接合部４１を凹孔設計にし、それに対応するため、回転接合部４３をフランジ設計にしたりすることができる。そのような構成の変化は、この技術を熟知する者が前記の説明に基づき変化し実施することができるので、本考案の精神及び範囲に離れていないので、余計な記述をしない。
【００１４】
前記の記載により、回転接合部４３は、前記接合部４１を軸心として回転開けた作動を行い、回転接合部４３を本体４０外縁の端末に押し付けると、本体４０の外部寸法が増大するため、本体４０が比較的に大きな孔の第二規格溝孔２を選んで対位の接続を行うことができる。この時、前記回転接合部４３の一端は別の端面４３１を有して、なおその前記端面４３１は、接続端４２と距離ｄがあり、しかも前記ｄ距離寸法の長さは、前記第二規格溝孔の延伸した深さｓより少々小さくて、即ち、回転接合部４３が、前記第二規格溝孔２に押し付けることができて、しかも設置された接続端４２は八個の電気接続線端子４２１を備え、それで第二規格溝孔２の八個の電気接続線がそれぞれ対応接続して電気導電になる。前記コネクタ４は配線４４を有するため、前記回転接合部４３が回転開けた作動に設計することで、配線４４と互いに接触することを減らすだけではなく、直接配線４４を前記コネクタ４に嵌入させるように設計する事ができる。配線４４が線板(図に示せず)を利用して前記コネクタ４に固定させることもできる。
【００１５】
本考案による双機能型のコネクタは、単一のコネクタがそれぞれ二種類の異なっている規格の溝孔に用いられるだけではなくて、前記接合部が回転方式でコネクタの外縁に連結されているため、効果的に本体寸法の構造の大きさを減らすことができる。
【図面の簡単な説明】
【００１６】
【図１】市場の双機能型のコネクタの立体構造の使用状態を示す図である。
【図２】市場の双機能型のコネクタの立体構造の使用状態を示す図である。
【図３】本考案にかかる双機能型のコネクタの立体構造の使用状態を示す図である。
【図４】本考案にかかる双機能型のコネクタの立体構造の使用状態を示す図である。
【符号の説明】
【００１７】
１      第一規格の溝孔
２      第二規格の溝孔
３      コネクタ
４      コネクタ
３１    滑りカバー
３２    端部
３３    連接アーム
３４    配線
４０    本体
４１    接合部
４２    接続端
４３    回転接合部
４４    配線
４２１  導電端子
４３１  端面
【図１】
0003121199.tif 000003
【図２】
0003121199.tif 000004
【図３】
0003121199.tif 000005
【図４】
0003121199.tif 000006